(57)【要約】【課題】操作が簡単でパイプの束等の荷物を確実に縛ることができるベルトを提供する。【解決手段】ベルト１０は、ベルト本体２０およびバックル４０を備えている。バックル４０は基部４１、基部４１の両側に連設された一対の側部４２、４３、一対の側部４２、４３に一体に連設された前桟部４４およびスライダ４５を有している。ベルト本体２０の一端部２１にバックル４０の基部４１を連結し、一対の側部４２、４３に沿って摺動可能に一対の側部４２、４３に取り付けられた棒状のスライダ４５を配置している。ベルト本体２０を荷物に掛けまわし、ベルト本体２０の他端部２２側の部分をバックル４０のスライダ４５と基部４１との間に挿通し、さらに、ベルト本体２０の他端部２２側の部分を折り曲げて二重にし、この折り曲げて二重にした部分２３をバックル４０のスライダ４５と前桟部４４との間に挿通する。さらに、ベルト本体２０にリング状部３０を付設する。【選択図】図１
2008230641.tif 000002
【特許請求の範囲】
【請求項１】
ベルト本体およびバックルを備え、
前記バックルは基部、前記基部の両側に連設された一対の側部、前記一対の側部に連設された前桟部およびスライダを有し、
前記ベルト本体の一端部にバックルの基部を連結し、
前記スライダは前記一対の側部に沿って摺動可能に前記一対の側部に取り付けられ、
前記ベルト本体を荷物に掛けまわし、前記ベルト本体の他端部側の部分を前記バックルのスライダと基部との間に挿通し、さらに、前記ベルト本体の他端部側の部分を折り曲げて二重にし、この折り曲げて二重にした部分を前記バックルの前記スライダと前記前桟部との間に挿通することを特徴とするベルト。
【請求項２】
請求項１記載のベルトであって、
前記ベルト本体にリング状部を付設し、前記リング状部にフックを掛けて、前記フックでリング状部を吊り上げることを特徴とするベルト。
【請求項３】
請求項２記載のベルトであって、
前記ベルト本体の他端部を前記リング状部に着脱可能に面ファスナーにより添付可能にしたことを特徴とするベルト。
【発明の詳細な説明】
【技術分野】
【０００１】
本発明は、束ねたパイプ等の荷物を縛って吊すこと等に使用されるベルトに関するものである。
【背景技術】
【０００２】
従来、荷物を吊り上げる際に、ベルトを荷物に掛け回して、ベルトをフックに掛けて引き上げることが行われている。この場合に使用されるベルトとして、繊維製のベルトであって、連鎖状に連結されている複数の連結リングと、前記連結リングの少なくとも１つに連結されている分岐リングを備え、前記ベルトが荷物に掛け回された状態で前記分岐リンクを引っ張ると、前記分岐リンクが連結されている連結リンクの両側の連結リンクが互いに近接する方向に移動して、前記荷物が巻締められるように、前記分岐リンクが前記連結リンクに連結されているものがある（例えば特許文献１参照）。
【特許文献１】特開２００４−１０６９７９号公報
【発明の開示】
【発明が解決しようとする課題】
【０００３】
しかし、上述の従来例のベルトでは、連鎖状に連結されている複数の連結リンクと少なくとも１つの分岐リンクが必要になるので、ベルトの構造が複雑になり、その取り扱いが煩雑になるという問題があった。
そこで、本発明が解決しようとする課題は、操作が簡単でパイプの束等の荷物を確実に縛ることができるベルトを提供することである。
【課題を解決するための手段】
【０００４】
上記課題を解決するため、請求項１記載の発明は、ベルト本体およびバックルを備え、前記バックルは基部、前記基部の両側に連設された一対の側部、前記一対の側部に連設された前桟部およびスライダを有し、前記ベルト本体の一端部にバックルの基部を連結し、前記スライダは前記一対の側部に沿って摺動可能に前記一対の側部に取り付けられ、前記ベルト本体を荷物に掛けまわし、前記ベルト本体の他端部側部分を前記バックルのスライダと基部との間に挿通し、さらに、前記ベルト本体の他端部側部分を折り曲げて二重にし、この折り曲げて二重にした部分を前記バックルの前記スライダと前記前桟部との間に挿通することを特徴とするベルトである。
請求項１記載の発明により、前記ベルト本体を荷物に掛けまわし、前記ベルト本体の他端部側部分を前記バックルのスライダと基部との間に挿通し、さらに、前記ベルト本体の他端部側部分を折り曲げて二重にし、この折り曲げて二重にした部分を前記バックルのスライダと前桟部との間に挿通して引っ張ると、前記スライダが前記ベルト本体に引っ張られて前記前桟部の方向に摺動し、前記荷物の重量により前記折り曲げて二重にした部分が前記スライダと前記前桟部とで挟まれて締め付けられるので、前記スライダと前記前桟部との間から抜けなくなる。このため、前記ベルトで前記荷物を縛ることができる。さらに、前記二重にした部分のベルト本体の他端部を引っ張ると、前記ベルトで荷物を縛った状態を容易に解除できる。
【０００５】
さらに、請求項２記載の発明は、請求項１記載のベルトであって、前記ベルト本体にリング状部を付設し、前記リング状部にフックを掛けて、前記フックでリング状部を吊り上げることを特徴とするベルトである。
請求項２記載の発明により、前記リング状部にフックを掛けて、前記フックでリング状部を吊り上げることにより、前記荷物を吊り上げることができる。
【０００６】
さらに、請求項３記載の発明は、請求項２記載のベルトであって、前記ベルト本体の他端部を前記リング状部に着脱可能に面ファスナーにより添付可能にしたことを特徴とするベルトである。
請求項３記載の発明により、前記ベルト本体の他端部を前記リング状部に着脱可能に面ファスナーにより添付することにより、誤って前記ベルト本体の他端部を引っ張ることを防ぐことができる。
【発明の効果】
【０００７】
請求項１記載の発明に係わるベルトにより操作が簡単でパイプの束等の荷物を確実に縛ることができる。さらに、前記ベルトにより荷物を縛った状態の解除が容易である。
さらに、請求項２記載の発明によれば、請求項１記載の発明の効果とともに、ベルトによりパイプの束等の荷物を吊り上げることができ、その際、ベルトと荷物との間に隙間が殆どできないようにすることができる。
さらに、請求項３記載の発明によれば、請求項２記載の発明の効果とともに、ベルトで荷物を縛っている状態を誤って解除してしまうことを防ぐことができる。
【発明を実施するための最良の形態】
【０００８】
以下、本発明における実施の形態を図面に基づいて説明する。
図１は本発明の実施の形態に係わるベルトを示し、図２は図１のベルトのベルト本体の一部分、リング状部およびバックルを示し、図３は図１のベルトで荷物を縛る作業を示し、図４は図１のベルトで荷物を縛った状態を示し、図５は図１のベルトで荷物を吊り上げる場合を示す。
【０００９】
図１に示すように、ベルト１０は、ベルト本体２０、リング状部３０、バックル４０および面ファスナー５０を備えている。
図２に示すように、バックル４０は基部４１、基部４１の両側に連設された一対の側部（一方の側部４２および他方の側部４３）および一対の側部４２、４３に連設された前桟部４４およびスライダ４５を有している。なお、スライダ４５は一対の側部４２、４３に沿って摺動可能に一対の側部４２、４３に取り付けられている。
具体的には、基部４１、一方の側部４２、前桟部４４および他方の側部４３は四角形の枠状に形成されている。また、スライダ４５には一対の孔（一方の孔４５ａおよび他方の孔４５ｂ）が形成されている。そして、一方の孔４５ａには一方の側部４２が挿通し、他方の孔４５ｂには他方の側部４３が挿通している。また、スライダ４５の表面４５ｃには表面４５ｃの摩擦係数を増加させるために、細かい凹凸が形成されている。すなわち、表面４５ｃは粗く形成されている。
【００１０】
そして、ベルト本体２０の一端部２１にバックル４０の基部４１を連結している。なお、具体的にはベルト本体２０の一端部２１を折り返した部分に基部４１を連結して、前記折り返した部分を縫い付けること等により固定している。そして、図１に示すように、バックル４０のベルト本体２０の表面２４側をバックル４０の表部４６とし、バックル４０のベルト本体２０の裏面２５側をバックル４０の裏部４７とする。
図３に示すように、ベルト本体２０をその表面２４が外側になるようにパイプの束等の荷物６０に掛けまわし、図１に示すように、ベルト本体２０の他端部２２側の部分をバックル４０の裏部４７からスライダ４５と基部４１との間に挿通し、さらに、前記スライダ４５と基部４１との間に挿通したベルト本体２０の他端部２２側の部分をその表面２４が外側になるように折り曲げて二重にし、この折り曲げて二重にした部分２３をバックル４０の表部４６からスライダ４５と前桟部４４との間に挿通する。
【００１１】
図２に示すように、リング状部３０はベルト本体２０の表面２４に縫い付けること等により付設されている。なお、ベルト本体２０およびリング状部３０は繊維製である。リング状部３０はベルト本体２０と一体に連設されている。図１に示すように、織糸の模様２６がベルト本体２０の表面２４および裏面２５に一面に形成され、リング状部３０にも同様に織糸の模様が形成されている。このため、ベルト本体２０の表面２４および裏面２５は粗い面となっているので、これによりベルト本体２０の表面２４および裏面２５の摩擦係数が増加されている。
図５に示すように、リング状部３０にフック６１を掛けて、フック６１でリング状部３０を吊り上げる。具体的には、フック６１はチェーン６２により吊り下げられているので、チェーン６２を図示しないクレーン、ウインチ等により吊り上げることになる。
【００１２】
さらに、図１に示すように、ベルト本体２０の他端部２２をリング状部３０に着脱可能に面ファスナー５０により添付可能にしている。面ファスナー５０は２つの部分からなり、面ファスナー５０の一方の部分５１はリング状部３０の表面３１に設けられ、面ファスナー５０の他方の部分５２はベルト本体２０の他端部２２の裏面２５に設けられている。
【００１３】
以上の構成のベルト１０は以下の動作をする。
ベルト本体２０をパイプの束等の荷物６０に掛けまわし、ベルト本体２０の他端部２２側の部分をバックル４０のスライダ４５と基部４１との間に挿通し、さらに、前記挿通したベルト本体２０の他端部２２側の部分を折り曲げて二重にし、この折り曲げて二重にした部分２３をバックル４０のスライダ４５と前桟部４４との間に挿通して手で引っ張る。具体的には、図３に示すように、作業者が一方の手７１でリング状部３０を掴み、他方の手７２で二重にした部分２３を掴んで引っ張ることができる。このようにすると、スライダ４５がベルト本体２０に引っ張られて前桟部４４の方向に摺動し、荷物６０の重量により折り曲げて二重にした部分２３がスライダ４５と前桟部４４とで挟まれて締め付けられるので、スライダ４５と前桟部４４との間から抜けなくなる。このため、ベルト１０で荷物６０を縛ることができる（図４参照）。さらに、二重にした部分２３のベルト本体２０の他端部２２を手で引っ張ると、二重にした部分２３がバックル４０のスライダ４５と前桟部４４との間から引き出されて消滅するので、前記ベルト１０で荷物６０を縛った状態を容易に解除できる。
【００１４】
さらに、リング状部３０にフック６１を掛けて、フック６１でリング状部３０を吊り上げることにより、荷物６０を吊り上げることができる。
さらに、ベルト本体２０の他端部２２をリング状部３０に着脱可能に面ファスナー５０により添付することにより、誤ってベルト本体２０の他端部２２を引っ張ることを防ぐことができる。
【００１５】
なお、上記実施の形態において、ベルト本体２０およびリング状部３０は繊維製であるが、これに限定されず、任意の材質のものにすることができる。
また、リング状部３０はベルト本体２０と一体に連設されているが、これに限定されず、リング状部３０の材料はベルト本体２０の材料と別のものでもよい。
【図面の簡単な説明】
【００１６】
【図１】本発明の実施の形態に係わるベルトを示す斜視図である。
【図２】図１のベルトのベルト本体の一部分、リング状部およびバックルを示す斜視図である。
【図３】図１のベルトで荷物を縛る作業を示す斜視図である。
【図４】図１のベルトで荷物を縛った状態の斜視図である。
【図５】図１のベルトで荷物を吊り上げる場合を示す正面図である。
【符号の説明】
【００１７】
１０  ベルト
２０  ベルト本体
２１  一端部
２２  他端部
２３  二重にした部分
３０  リング状部
４０  バックル
４１  基部
４２  一方の側部
４３  他方の側部
４４  前桟部
４５  スライダ
５０  面ファスナー
６０  荷物
６１  フック
【図１】
2008230641.tif 000003
【図２】
2008230641.tif 000004
【図３】
2008230641.tif 000005
【図４】
2008230641.tif 000006
【図５】
2008230641.tif 000007